(57)【特許請求の範囲】
【請求項１】
先端に視標信号発信部、転送信号発信部を有するとともに、視標信号を発する視標信号送信スイッチ、転送信号を発する転送スイッチを備え、視力検査用のチャート上に視力値に応じた配列で表示されている複数の視標のうちのいずれかを被検者の検眼用に指示する指し棒と、
前記チャートの側部に配置され、前記視標信号送信スイッチの操作に応じて視標信号発信部から発せられる視標信号を受信する受信部と、検眼に供している左眼、右眼又は両眼の区別を示す眼区別情報を設定する入力部と、前記視標を視認している被検者とチャートとの距離を検出する測距センサと、前記受信部が出力する視標からの受信距離に応じて異なる出力信号と、測距センサにより検出した距離データとを基に指示された視標に対応する被検者の視力値を求める演算部と、転送スイッチの操作に応じて眼区別情報と求めた被検者の視力値とを送信する検眼データ送信部と、を有するチャート側検眼データ転送手段と、
前記検眼データ送信部から送られてくる眼区別情報及び被検者の視力値の情報を受信し記憶及び処理する検眼情報記憶処理手段と、
を有することを特徴とする眼科データ転送記憶装置。
【請求項２】
被検者がチャート上に視力値に応じて配列されている視標を視認する視線の方向を検出し、視認している視標を特定するとともに、検眼に供している左眼、右眼又は両眼の区別を示す眼区別情報を送出する視線追従手段と視認しているチャートまでの距離を検出する測距センサとを搭載した被検者装着型の眼鏡ユニットと、
視線追従手段にて特定した視標の位置と、測距センサにより検出した距離データとを基に視認している視標に対応する視力値を求める演算部と、前記眼区別情報と、求めた被検者の視力値とを送信する送信部とを備えたチャート側検眼データ転送手段と、
チャート側検眼データ転送手段から送られてくる眼区別情報及び被検者の視力値の情報を受信し記憶及び処理する検眼情報記憶処理手段と、
を有することを特徴とする眼科データ転送記憶装置。
【請求項３】
視力検査用のチャート上に視力値に応じた配列で表示されている複数の視標の各々の近傍に配置した視力値に対応付けられている複数の視標決定スイッチと、
検眼に供している被検者の左眼、右眼又は両眼の区別を示す眼区別情報を設定する入力部と、前記視標を視認している被検者とチャートとの距離を検出する測距センサと、被検者の回答に応じた視標決定スイッチの操作信号と、測距センサにより検出した距離データとを基に指し棒にて指示された視標に対応する被検者の視力値を求める演算部と、入力部にて設定した眼区別情報と求めた被検者の視力値とを検眼データとして送信する検眼データ送信部と、を有するチャート側検眼データ転送手段と、
チャート側検眼データ転送手段から送られてくる眼区別情報及び被検者の視力値の情報からなる検眼データを受信し記憶及び処理する検眼情報記憶処理手段とを有すること、
を特徴とする眼科データ転送記憶装置。
【発明の詳細な説明】
【０００１】
【発明の属する技術分野】
本発明は自覚式検眼の検査データの転送、記憶に工夫を凝らした眼科データ転送記憶装置に関するものである。
【０００２】
【従来の技術】
従来、チャート板上に印刷等で表示した視力値に応じた配列のランドルト環等を指し棒により指示して被検者に視認させ、被検者の回答により視力値を決定する自覚式の検眼においては、被検者の回答によって視力値が決定する度に検者が紙等に検眼データを記載したり、又は、検眼情報処理手段のキーボード等による入力操作にて記憶部に記憶する作業を被検者毎に行い、その後被検者毎の検眼処理の進行、眼鏡の作製等に活用するのが通常である。
【０００３】
【発明が解決しようとする課題】
しかしながら、検眼データを紙等に記入したり、キーボード等による入力操作にて検眼データの登録作業を行うことは、入力ミスが生じたり、検眼データの登録作業が煩雑化し、被検者に対する検眼能率の低下を招くという問題がある。
【０００４】
本発明は、上記事情に鑑みてなされたものであり、チャートを使用する自覚式検眼において、検眼データの入力作業を自動化、簡略化し、入力ミスを回避するとともに、情報記憶処理手段への検眼データの記憶作業を容易化した眼科データ転送記憶装置を提供することを目的とするものである。
【０００５】
【課題を解決するための手段】
請求項１記載の発明は、先端に視標信号発信部、転送信号発信部を有するとともに、視標信号を発する視標信号送信スイッチ、転送信号を発する転送スイッチを備え、視力検査用のチャート上に視力値に応じた配列で表示されている複数の視標のうちのいずれかを被検者の検眼用に指示する指し棒と、前記チャートの側部に配置され、前記視標信号送信スイッチの操作に応じて視標信号発信部から発せられる視標信号を受信する受信部と、検眼に供している左眼、右眼又は両眼の区別を示す眼区別情報を設定する入力部と、前記視標を視認している被検者とチャートとの距離を検出する測距センサと、前記受信部が出力する視標からの受信距離に応じて異なる出力信号と、測距センサにより検出した距離データとを基に指示された視標に対応する被検者の視力値を求める演算部と、転送スイッチの操作に応じて眼区別情報と求めた被検者の視力値とを送信する検眼データ送信部と、を有するチャート側検眼データ転送手段と、前記検眼データ送信部から送られてくる眼区別情報及び被検者の視力値の情報を受信し記憶及び処理する検眼情報記憶処理手段とを有することを特徴とするものである。
【０００６】
この発明によれば、入力部により被検者の検眼に供している左眼、右眼又は両眼の区別を示す眼区別情報を設定するとともに、指し棒によりチャート上の複数の視標のうちのいずれかを指示し、被検者の回答に応じて視標信号送信スイッチの操作で視標信号発信部から視標信号を受信部に送る。これにより、受信部から視標からの受信距離に応じて異なる出力信号が演算部に送られる。また、測距センサにより、視標を視認している被検者とチャートとの距離が検出され、距離データが演算部に送られる。
【０００７】
演算部は、前記受信部が出力する視標からの受信距離に応じて異なる出力信号と、測距センサにより検出した距離データとを基に指示された視標に対応する被検者の視力値を求める。
【０００８】
チャート側検眼データ転送手段は、前記転送スイッチの操作に応じて前記眼区別情報と求めた被検者の視力値とを検眼情報記憶処理手段に転送する。検眼情報記憶処理手段は、送られてくる眼区別情報及び被検者の視力値の情報を受信し自動的に記憶及び処理する。
【０００９】
請求項２記載の発明は、被検者がチャート上に視力値に応じて配列されている視標を視認する視線の方向を検出し、視認している視標を特定するとともに、検眼に供している左眼、右眼又は両眼の区別を示す眼区別情報を送出する視線追従手段と、視認しているチャートまでの距離を検出する測距センサとを搭載した被検者装着型の眼鏡ユニットと、視線追従手段にて特定した視標の位置と、測距センサにより検出した距離データとを基に視認している視標に対応する視力値を求める演算部と、前記眼区別情報と、求めた被検者の視力値とを送信する送信部とを備えたチャート側検眼データ転送手段と、チャート側検眼データ転送手段から送られてくる眼区別情報及び被検者の視力値の情報を受信し記憶及び処理する検眼情報記憶処理手段とを有することを特徴とするものである。
【００１０】
この発明によれば、被検者装着型の眼鏡ユニットに視線追従手段を搭載した構成で、請求項１記載の発明の場合と同様にしてチャート側検眼データ転送手段が前記眼区別情報と求めた被検者の視力値とを検眼情報記憶処理手段に転送し、検眼情報記憶処理手段により、眼区別情報及び被検者の視力値の情報を受信し自動的に記憶及び処理することができる。
【００１１】
請求項３記載の発明は、視力検査用のチャート上に視力値に応じた配列で表示されている複数の視標の各々の近傍に配置した視力値に対応付けられている複数の視標決定スイッチと、検眼に供している被検者の左眼、右眼又は両眼の区別を示す眼区別情報を設定する入力部と、前記視標を視認している被検者とチャートとの距離を検出する測距センサと、被検者の回答に応じた視標決定スイッチの操作信号と、測距センサにより検出した距離データとを基に指し棒にて指示された視標に対応する被検者の視力値を求める演算部と、入力部にて設定した眼区別情報と求めた被検者の視力値とを検眼データとして送信する検眼データ送信部と、を有するチャート側検眼データ転送手段と、チャート側検眼データ転送手段から送られてくる眼区別情報及び被検者の視力値の情報からなる検眼データを受信し記憶及び処理する検眼情報記憶処理手段とを有することを特徴とするものである。
【００１２】
この発明によれば、チャート上に複数の視標の視力値に各々対応付けられている複数の視標決定スイッチを配置した構成で、請求項１記載の発明の場合と略同様にして前記眼区別情報と求めた被検者の視力値とを検眼情報記憶処理手段に転送し、検眼情報記憶処理手段により、眼区別情報及び被検者の視力値の情報を受信し自動的に記憶及び処理することができる。
【００１３】
【発明の実施の形態】
以下に本発明の実施の形態について説明する。
【００１４】
（実施の形態１）
図１乃至図５を参照して本発明の実施の形態１について説明する。
【００１５】
本実施の形態１の眼科データ転送記憶装置は、図１に示すように、立設配置の板状の支持体２に貼り付けた視力検査用のチャート１の紙面上に、０．１、０．２、０．３等のように視力値に応じた配列（複数行、複数列）で多数の視標であるランドルト環等の視標を表示し、これらランドルト環等をチャート１から所定の距離、例えば５ｍ、４ｍ等の距離を隔てて対峙する被検者の左眼ＥＬ、右眼ＥＲ又は両眼の検眼に供するように構成している。被検者は、例えば右眼ＥＲの検眼を行う場合には、左眼ＥＬの前を遮眼子３により遮り、右眼ＥＲのみでチャート１を視認する。
【００１６】
一方、検者は、被検者に対して、図１に示すように、チャート１上の特定のランドルト環（例えば視力値０．１のランドルト環）を指し棒４により指示することで、被検者に対する検眼を進行して行く。
【００１７】
前記指し棒４は、先端部に視標信号発信部である赤外線距離信号発信部５及び転送信号発信部である赤外線発信部６を有するとともに、検者が手で握る根本部に、赤外線距離信号を実際に発する際に操作する視標信号送信スイッチである距離信号スイッチ５ａと、被検者の回答（例えばランドルト環の開いている方向を意味する「上」、「右」等の音声）に応じて転送信号を実際に発する際に操作する転送スイッチである赤外線スイッチ６ａとを備えている。
【００１８】
前記チャート１を貼り付けている支持体２における前記チャート１の一方の側辺部には、図２に示すように、チャート側検眼データ転送手段１０を設けている。また、前記チャート１の上部には測距センサ１３を配置している。
【００１９】
前記チャート側検眼データ転送手段１０は、図４にブロック図で示すように前記距離信号スイッチ５ａの操作に応じて指し棒４の先端の赤外線距離信号発信部５から発せられる赤外線距離信号を受信する機能を備えた受信部１１と、検眼に供している左眼ＥＬ、右眼ＥＲ又は両眼の区別を示す眼区別情報を設定する図３に示すような入力部１２と、前記ランドルト環を視認している被検者とチャート１との距離を検出する測距センサ１３と、各ランドルト環と受信部１１との距離と、視力値（０．１、０．２、０．３等）との対応データを予め登録しているデータテーブル１４と、前記受信部１１が出力する各ランドルト環からの受信距離に応じて異なる（指し棒４にて指示される各ランドルト環のチャート１上の位置と受信部１１との距離の大小に対応した）出力信号を基に、データテーブル１４を参照して当該ランドルト環を特定し、かつ、測距センサ１３により検出した距離データを使用して、このときの被検者の例えば右眼ＥＲの視力値を求める演算部１５と、入力部１２にて設定した眼区別情報と、演算部１５にて求めた被検者の視力値とを検眼データとして記憶するメモリ１６と、前記赤外線スイッチ６ａの操作に応じて指し棒４の先端から発せられる赤外線信号を受信し、前記検眼データを図１に示す操作盤２０ａ及び表示部２５を備えた検眼情報記憶処理手段２０に向けて赤外線にて送信する赤外線の送受信機能を備えた検眼データ送信部１７と、これら各要素を制御する制御部１８とを有している。
【００２０】
前記検眼情報記憶処理手段２０は、図４にブロック図で示すように、ＣＰＵ２１と、検眼データ送信部１７からの検眼データを赤外線にて受信する受信処理部２２と、動作プログラムを格納しているＲＯＭ２３と、検眼データを記憶する記憶部２４と、検眼データを表示する液晶ディスプレイ等の表示部２５とを有している。
【００２１】
前記測距センサ１３は、ランドルト環を視認している被検者とチャート１との間の距離を、測距センサ１３から例えば赤外線を前記遮眼子３の裏面（チャート１に対面する面）に貼り付けている赤外線反射部材３ａに照射し、赤外線反射部材からの反射光を受光することで測定するようになっている。
【００２２】
また、前記演算部１５による視力値の算出は以下のように行う。検者とチャート１との距離が例えば５メートルの場合の視力値を基準とし、検者が例えば０．１（５メートル基準）のランドルト環を見ている実際の距離が４メートルの場合、このときの視力値は、０．１＊４／５＝０．０８となる。
【００２３】
さらに、前記チャート１上のランドルト環の位置と視力値（５ｍ検眼の基準視力値）との関係の設定は以下のように行う。
【００２４】
すなわち、図３に示す入力部１２の設定ボタン１２ａを押し、テンキー部１２ｂから０．１のように視力値データを入力する。このとき、０．１の値が表示パネル１２ｃに表示される。
【００２５】
次に、図６に示すように、チャート１上の０．１のランドルト環の上部と下部を順に（（１）、（２）の順に）指し棒４の先端で指し、距離信号スイッチ５ａを各々押して、指し棒４の先端から赤外線距離信号を発し受信部１１に送る。そして、入力部１２のエンターボタン１２ｄを押す。
【００２６】
以下同様にして、０．２、０．３等の各ランドルト環の位置情報を受信部１１に送信して５ｍ検眼の基準視力値を設定する。すべてのランドルト環に対して上述した操作が終わった段階で設定ボタン１２ａを押す。そして、制御部１８において各ランドルト環の位置情報を上下方向に大きい順にソートし、解析してデータテーブル１４に格納する。
【００２７】
このようにして、指し棒４にて指示される各ランドルト環のチャート１上の位置と受信部１１との距離の大小に対応した出力信号が受信部１１から出力され、これを基に制御部１８にてこの場合の視力値が求められることになる。
【００２８】
なお、被検者の回答（正答又は誤答）と検査した同視力の視標数とによる視力値の判定の態様を図７に表形式にて示す。図７において、標準域値とはランドルト環に関するものであり、准標準域値とはランドルト環以外のひらがな、カタカナからなる視標に関するものである。そして、例えば検査した同視力の視標数が５であり、正答数が３であれば、このときの視力値を当該検眼時の視力値として決定する。
【００２９】
上述した本実施の形態１によれば、検者が指し棒４にていずれかのランドルト環を指示し、被検者の回答に応じて距離信号スイッチ５ａを操作し、さらに、赤外線スイッチ６ａを操作するだけで、前記チャート側検眼データ転送手段１０、検眼情報記憶処理手段２０の動作し、被検者の自覚式の検眼データを自動的に算出して自動的に記憶保持し、更には、図５に示すように、表示部２５に検眼データを表示することが可能となり、検眼データの入力作業が少なく、また、入力ミスを避けることもでき、さらには検眼情報記憶処理手段２０への記憶作業が迅速となり、検眼処理の簡略化、検査時間の短縮による検眼能率の向上を図ることができる。
【００３０】
（実施の形態２）
図８、図９を参照して本発明の実施の形態２について説明する。なお、本実施の形態２において、実施の形態１と同一の構成要素には同一の符号を付して説明する。
【００３１】
本発明の実施の形態２の眼科データ転送処理装置は、図８に示すように、被検者がチャート１上に視力値に応じて配列されている視標であるランドルト環を視認する視線の方向を検出し、視認しているランドルト環の位置を特定して当該ランドルト環の情報及び検眼に供している左眼ＥＬ、右眼ＥＲ又は両眼の区別を示す眼区別情報を送出する公知の視線追従手段３１と、視認しているチャート１までの距離を検出する測距センサ３２とを、被検者が装用する眼鏡ユニットであるトライアルフレーム４０に搭載した構成としている。
【００３２】
視線追従手段３１は、図８に示すように、トライアルフレーム４０の中央部に支持示アーム３１ａを介して検出面をこのトライアルフレーム４０の両眼フレーム部に向けて取り付けている。測距センサ３２は、図８に示すように、トライアルフレーム４０の中央部の上側にチャート１に向けて取り付けられ、ランドルト環を視認している被検者とチャート１との間の距離を、測距センサ３２から例えば赤外線をチャート１に設けた赤外線反射部材１ａに照射し、赤外線反射部材３ａからの反射光を受光することで測定するようになっている。
【００３３】
また、本実施の形態２の眼科データ転送処理装置は、図９に示すように、前記視線追従手段３１及び測距センサ３２の出力情報を接続ケーブル３３を介して取り込む詳細は後述するチャート側検眼データ転送手段３４と、既述した実施の形態１と同一の構成からなり、検眼データ転送手段３４から送られてくる眼区別情報及び被検者の視力値の情報を赤外線にて受信し記憶及び処理する検眼情報記憶処理手段２０とを有している。
【００３４】
チャート側検眼データ転送手段３４は、図９に示すように、前記視線追従手段３１にて特定したチャート１上のランドルト環の位置と、測距センサ３２により検出した距離データとを基に被検者が視認しているランドルト環に対応する視力値を求める演算部３４と、前記眼区別情報と、求めた被検者の視力値とを検眼データとして記憶するメモリ３５と、前記眼区別情報と、求めた被検者の視力値とを検眼データとして赤外線にて検眼情報記憶処理手段２０に送信する検眼データ送信部３６と、これら各要素を制御する制御部３７と、検眼データ転送用の転送スイッチ３９とを有している。
【００３５】
この転送スイッチ３９は、実施の形態１の場合と同様に、検者がチャート１上のランドルト環を指示する指し棒に設けることもできる。この場合には、指し棒に赤外線送信部及び赤外線スイッチを設け、検者の指し棒での操作にて検眼データ送信部３６から検眼情報記憶処理手段２０に検眼データを送信するものである。
【００３６】
また、前記転送スイッチ３９は、前記トライアルフレーム４０のフレーム部に設ける構成とし、被検者の操作にて検眼データ送信部３６から検眼情報記憶処理手段２０に検眼データを送信するようにすることも可能である。
【００３７】
上述した本実施の形態２によれば、被検者自らが装用するトライアルフレーム４０に視線追従手段３１と、測距センサ３２とを搭載した構成で、被検者側が見ているチャート１上のランドルト環の位置情報と、測距センサ３２により検出した距離データとを取得し、転送スイッチ３９の操作にてチャート側検眼データ転送手段３４から検眼情報記憶処理手段２０に被検者の眼区別情報と、求めた被検者の視力値とを検眼データとして送信することができ、これにより、自動的に被検者の眼区別情報、視力値を記憶保持し、更には、表示部２５に検眼データを表示することが可能となる。この結果、本実施の形態２おいても、検眼データの入力作業が少なく、また、入力ミスを避けることもでき、さらには検眼情報記憶処理手段２０への記憶作業が迅速となり、検眼処理の簡略化、検査時間の短縮による検眼能率の向上を図ることができる。
【００３８】
（実施の形態３）
図１０、図１１を参照して本発明の実施の形態３について説明する。なお、本実施の形態３において、実施の形態１、２と同一の構成要素には同一の符号を付して説明する。
【００３９】
本発明の実施の形態３の眼科データ転送処理装置は、図１０に示すように、視力検査用のチャート１上に視力値に応じた配列で表示され、検者が指し棒６０により指示する複数の、本実施の形態３では９個の視標である各ランドルト環の各々の近傍に配置した視力値（５ｍ検眼基準）０．１、０．２、０．３に対応付けられて一行３個ずつ合計９個の視標決定スイッチ５１ａ乃至５１ｃ、５１ｄ乃至５１ｆ、５１ｇ乃至５１ｉと、実施の形態１の場合と略同様な構成のチャート側検眼データ転送手段５０と、チャート側検眼データ転送手段５０から検眼データを受信し記憶及び処理する実施の形態１の場合と同様な検眼情報記憶処理手段２０とを有している。
【００４０】
前記チャート１を貼り付けている支持体２における前記チャート１の一方の側辺部には、図１０に示すように、チャート側検眼データ転送手段５０を設けている。また、前記チャート１の上部には測距センサ１３を配置している。
【００４１】
チャート側検眼データ転送手段５０は、図１１にブロック図で示すように検眼に供している左眼ＥＬ、右眼ＥＲ又は両眼の区別を示す眼区別情報を設定する入力部１２と、前記ランドルト環を視認している被検者とチャート１との距離を実施の形態１の場合と同様にして検出する測距センサ１３と、測距センサ１３により検出した距離データと前記視標決定スイッチ５１ａ乃至５１ｉのいずれかからの視力値に対応付けられている操作信号を使用して、このときの被検者の例えば右眼ＥＲの視力値を求める演算部１５と、入力部１２にて設定した眼区別情報と、演算部１５にて求めた被検者の視力値とを検眼データとして記憶するメモリ１６と、検眼データを検眼情報記憶処理手段２０に向けて赤外線にて送信する赤外線の送受信機能を備えた検眼データ送信部１７と、これら各要素を制御する制御部１８と、検眼データ転送用の転送スイッチ３９とを有している。
【００４２】
この転送スイッチ３９は、実施の形態２の場合と同様に、検者がチャート１上のランドルト環を指示する指し棒６０に設けることもできる。この場合には、指し棒６０に赤外線送信部及び赤外線スイッチを設け、検者の指し棒６０での操作にて検眼データ送信部１７から検眼情報記憶処理手段２０に検眼データを送信するものである。
【００４３】
前記視標決定スイッチ５１ａ乃至５１ｃの操作信号は、いずれも視力値（５ｍ検眼基準）０．１に対応付けられ、前記視標決定スイッチ５１ｄ乃至５１ｆの操作信号は、いずれも視力値（５ｍ検眼基準）０．２に対応付けられ、前記視標決定スイッチ５１ｇ乃至５１ｉの操作信号は、いずれも視力値（５ｍ検眼基準）０．３に対応付けられている。
【００４４】
本実施の形態３によれば、入力部１２にて例えば右眼ＥＲを意味する眼区別情報を入力するとともに、指し棒６０によりチャート１上のいずれかのランドルト環（例えば最上行、右隅の０．１のランドルト環）を指示し、被検者の回答に応じて対応する視標決定スイッチ５１ａを押すことにより、測距センサ１３により被検者とチャート１との間の距離データが検出されその距離データが制御部１８に送られ、また、視標決定スイッチ５１ａからの視力値（５ｍ検眼基準）０．１に対応付けられている操作信号が制御部１８に送られる。これにより、演算部１５はこのときの被検者の右眼ＥＲの視力値を求める。そして、メモリ１６に前記眼区別情報と、演算部１５にて求めた被検者の視力値とが検眼データとして記憶される。
【００４５】
さらに、転送スイッチ３９を操作することで、検眼データ送信部１７から検眼情報記憶処理手段２０に前記検眼データが送信される。
【００４６】
これにより、自動的に被検者の眼区別情報、視力値を検眼情報記憶処理手段２０に記憶保持し、更には、表示部２５に検眼データを表示することが可能となる。この結果、本実施の形態３おいても、検眼データの入力作業が少なく、また、入力ミスを避けることもでき、さらには検眼情報記憶処理手段２０への記憶作業が迅速となり、検眼処理の簡略化、検査時間の短縮による検眼能率の向上を図ることができる。
【００４７】
尚、既述した実施の形態１では、指し棒４の先端部に視標信号発信部である赤外線距離信号発信部５を設ける構成を説明したが、赤外線距離信号発信部５の替わりに超音波を発生する距離信号発信部を採用することもできる。
【００４８】
【発明の効果】
本発明によれば、極めて簡略な操作のみで被検者の自覚式の検眼データを自動的に求めて自動的に記憶保持することが可能となり、検眼データの入力作業が少なくなり、また入力ミスを避けることができ、さらには記憶処理手段への記憶作業が迅速となり、検眼処理の簡略化、検査時間の短縮による検眼能率の向上を図ることができる眼科データ転送記憶装置を提供することができる。
【図面の簡単な説明】
【図１】本発明の実施の形態１の眼科データ転送記憶装置の概略構成図である。
【図２】本実施の形態１の眼科データ転送記憶装置における指し棒でランドルト環を指示した状態を示す説明図である。
【図３】本実施の形態１の眼科データ転送記憶装置における入力部を示す平面図である。
【図４】本実施の形態１の眼科データ転送記憶装置の制御系を示すブロック図である。
【図５】本実施の形態１の眼科データ転送記憶装置の検眼データの表示例を示す説明図である。
【図６】本実施の形態１におけるチャート上のランドルト環の位置情報と視力値との設定手順を示す説明図である。
【図７】本実施の形態１における視力値の判定法を示す表である。
【図８】本発明の実施の形態２の眼科データ転送記憶装置の概略構成図である。
【図９】本実施の形態２の眼科データ転送記憶装置の制御系を示すブロック図である。
【図１０】本発明の実施の形態３の眼科データ転送記憶装置の概略構成図である。
【図１１】本実施の形態３の眼科データ転送記憶装置の制御系を示すブロック図である。
【符号の説明】
１  チャート
２  支持体
３  遮眼子
３ａ  赤外線反射部材
４  指し棒
５  赤外線距離信号発信部
５ａ  距離信号スイッチ
６  赤外線発信部
６ａ  赤外線スイッチ
１０  チャート側検眼データ転送手段
１１  受信部
１２    入力部
１２ａ  設定ボタン
１２ｂ  テンキー部
１２ｃ  表示パネル
１２ｄ  エンターボタン
１３  測距センサ
１４  データテーブル
１５  演算部
１６  メモリ
１７  検眼データ送信部
１８  制御部
２０  検眼情報記憶処理手段
２１  ＣＰＵ
２０ａ  操作盤
２２  受信処理部
２３  ＲＯＭ
２４  記憶部
２５  表示部
３１  視線追従手段
３２  測距センサ
３３  接続ケーブル
３４  演算部
３４  チャート側検眼データ転送手段
３５  メモリ
３６  検眼データ送信部
３７  制御部
３９  転送スイッチ
４０  トライアルフレーム
５０  チャート側検眼データ転送手段
５１ｇ〜５１ｉ  視標決定スイッチ
６０  指し棒
【図１】
0004667642.tif 000002
【図２】
0004667642.tif 000003
【図３】
0004667642.tif 000004
【図４】
0004667642.tif 000005
【図５】
0004667642.tif 000006
【図６】
0004667642.tif 000007
【図７】
0004667642.tif 000008
【図８】
0004667642.tif 000009
【図９】
0004667642.tif 000010
【図１０】
0004667642.tif 000011
【図１１】
0004667642.tif 000012